(57)【要約】【課題】透析装置等に用いられる濾過フィルタをホルダに簡便に接続することができるようにする。【解決手段】ホルダ１は濾過フィルタＦの流入管部Ｆ１１及び流出管部Ｆ１２が押し込まれて接続される流入側接続部２０及び流出側接続部３０を備え、流入側接続部２０と流出側接続部３０との間に、接続作業者が手を掛けるための手掛け部４０を設ける。濾過フィルタＦをホルダ１に接続する際には、濾過フィルタＦの流入管部Ｆ１１及び流出管部Ｆ１２をそれぞれホルダ１の流入側接続部２０及び流出側接続部３０に対向させた状態で、ハウジングＦ１に手のひらを当てて手掛け部４０に指を掛け、ハウジングＦ１と手掛け部４０を一緒に握り込むように力を加えると、ハウジングＦ１がホルダ本体１０に接近する方向の力が作用して、流入管部Ｆ１１及び流出管部Ｆ１２が流入側接続部２０及び流出側接続部３０に押し込まれて接続される。【選択図】図１５
2015181783.tif 000002
【特許請求の範囲】
【請求項１】
濾過材を収容する筒状のハウジングを備える濾過フィルタを保持するための濾過フィルタ用ホルダであって、
上記濾過フィルタ用ホルダは、
ホルダ本体と、
上記ハウジングの外周面から上記ホルダ本体に向かって突出する液体の流入管部が押し込まれて接続される流入側接続部と、
上記ハウジングの外周面から上記ホルダ本体に向かって突出する液体の流出管部が押し込まれて接続される流出側接続部と、
上記ホルダ本体における上記流入側接続部と上記流出側接続部との間に設けられ、接続作業者が手を掛ける手掛け部と、を備え、
接続作業者が上記ハウジング及び上記手掛け部に掛けた手を握り込む際に上記ハウジングに働く力によって、上記流入管部及び上記流出管部がそれぞれ上記流入側接続部及び上記流出側接続部に押し込まれて同時接続されることを特徴とする濾過フィルタ用ホルダ。
【請求項２】
請求項１において、
上記流入側接続部には、上記流入管部が挿入される流入側挿入孔が形成され、
上記流出側接続部には、上記流出管部が挿入される流出側挿入孔が形成され、
上記流入管部及び上記流出管部の上記流入側挿入孔及び上記流出側挿入孔への挿入方向から上記濾過フィルタ用ホルダを見たときに、上記手掛け部は上記ハウジングと重なる位置にあることを特徴とする濾過フィルタ用ホルダ。
【請求項３】
請求項１又は２において、
上記濾過フィルタを上記濾過フィルタ用ホルダに保持した状態で、上記手掛け部は上記ハウジングの長手方向に延びることを特徴とする濾過フィルタ用ホルダ。
【請求項４】
請求項１〜３のいずれか１つにおいて、
上記手掛け部は、上記濾過フィルタが上記濾過フィルタ用ホルダに保持された状態で上記ハウジングの外面に対向する位置に設けられ、
上記濾過フィルタが上記濾過フィルタ用ホルダに保持された状態で、上記手掛け部と上記ハウジングの外面との間に隙間が形成されていることを特徴とする濾過フィルタ用ホルダ。
【請求項５】
請求項１〜４のいずれか１つにおいて、
上記ハウジングの長手方向と鉛直線とのなす角度を調整する角度調整部を備えることを特徴とする濾過フィルタ用ホルダ。
【請求項６】
請求項１〜５のいずれか１つにおいて、
上記流入管部及び上記流出管部が上記流入側接続部及び上記流出側接続部に接続された状態にあるときには、上記濾過フィルタ用ホルダ内に収容されて上記流入管部及び上記流出管部が接続状態にあることを示し、上記流入管部及び上記流出管部の少なくとも一方が上記流入側接続部又は上記流出側接続部に接続されていない状態にあるときには、上記濾過フィルタ用ホルダから露出して上記流入管部及び上記流出管部の少なくとも一方が非接続状態にあることを示すインジケータが設けられていることを特徴とする濾過フィルタ用ホルダ。
【発明の詳細な説明】
【技術分野】
【０００１】
本発明は、例えば透析装置に取り付ける精密濾過フィルタ等を保持するための濾過フィルタ用ホルダに関するものである。
【背景技術】
【０００２】
透析装置には、ダイアライザに供給される前の原水を濾過する濾過フィルタが接続されている場合がある。特許文献１、２に示されているように、濾過フィルタは、筒状のハウジングに濾過材が収容されたものであり、ハウジングには、濾過前の原水を流入させる流入管部と、濾過材を通過した後の純水を流出させる第１流出管部と、濾過材を通過しない原水を流出する第２流出管部とが設けられている。流入管部はハウジングの長手方向一端側に設けられ、第１流出管部及び第２流出管部はハウジングの長手方向他端側に設けられている。特許文献１、２には、これら流入管部、第１流出管部及び第２流出管部が接続されることで、濾過フィルタを保持するホルダが開示されている。
【０００３】
特許文献１では、濾過フィルタの上部及び下部にそれぞれ上側連結部及び下側連結部が設けられており、ホルダの上側に濾過フィルタの上側連結部をロックする上側ロックレバーが設けられ、ホルダの下側に濾過フィルタの下側連結部をロックする下側ロックレバーが設けられている。
【０００４】
特許文献２のホルダも、上側及び下側にそれぞれロックレバーが設けられている。
【先行技術文献】
【特許文献】
【０００５】
【特許文献１】特開平１１−７０１６４号公報
【特許文献２】特許第３９２３８４５号公報
【発明の概要】
【発明が解決しようとする課題】
【０００６】
特許文献１、２のホルダはいずれも、濾過フィルタをホルダに保持させるために、接続作業者は上側及び下側ロックレバーを操作しなければならないが、上側及び下側ロックレバーはハウジングの長手方向に離れているため、濾過フィルタをホルダに保持させるためには、両手で操作したり、片側ずつ段階的に操作する必要がある。したがって、濾過フィルタをホルダに保持させるための作業が煩雑で手間がかかるという問題がある。
【０００７】
本発明はかかる点に鑑みてなされたものであり、その目的は、濾過フィルタをホルダに簡便に保持できるようにすることにある。
【課題を解決するための手段】
【０００８】
上記の目的を達成するために、この発明では、濾過フィルタの流入管部及び流出管部が押し込まれて接続される流入側接続部及び流出側接続部をホルダに設け、この流入側接続部と流出側接続部との間に、接続作業者が手を掛けるための手掛け部を設けるようにした。
【０００９】
第１の発明は、濾過材を収容する筒状のハウジングを備える濾過フィルタを保持するためのホルダにおいて、
ホルダ本体と、
上記ハウジングの外周面から上記ホルダ本体に向かって突出する液体の流入管部が押し込まれて接続される流入側接続部と、
上記ハウジングの外周面から上記ホルダ本体に向かって突出する液体の流出管部が押し込まれて接続される流出側接続部と、
上記ホルダ本体における上記流入側接続部と上記流出側接続部との間に設けられ、接続作業者が手を掛ける手掛け部と、を備え、
接続作業者が上記ハウジング及び上記手掛け部に掛けた手を握り込む際に上記ハウジングに働く力によって、上記流入管部及び上記流出管部がそれぞれ上記流入側接続部及び上記流出側接続部に押し込まれて同時接続されることを特徴とする。
【００１０】
この構成によれば、接続作業者が濾過フィルタの流入管部及び流出管部の先端をそれぞれホルダの流入側接続部及び流出側接続部に当てた状態で、例えばハウジングに手のひらを当てて手掛け部に指を掛け、ハウジングと手掛け部を一緒に握り込むように力を加えると、ハウジングがホルダ本体に接近する方向の力が作用して、流入管部及び流出管部が流入側接続部及び流出側接続部に押し込まれて同時接続される。
【００１１】
第２の発明は、第１の発明において、
上記流入側接続部には、上記流入管部が挿入される流入側挿入孔が形成され、
上記流出側接続部には、上記流出管部が挿入される流出側挿入孔が形成され、
上記流入管部及び上記流出管部の上記流入側挿入孔及び上記流出側挿入孔への挿入方向から上記濾過フィルタ用ホルダを見たときに、上記手掛け部は上記ハウジングと重なる位置にあることを特徴とする。
【００１２】
この構成によれば、ハウジングと手掛け部を一緒に握り込む際に、流入管部及び流出管部の突出方向が流入側挿入孔及び流出側挿入孔の挿入方向に沿うように、流入管部及び流出管部を、流入側接続部及び流出側接続部に、実質的に同時に（均等な力で）押し込むことが可能であるため、流入管部及び流出管部が流入側挿入孔及び流出側挿入孔にスムーズに挿入されて流入側接続部及び流出側接続部に接続される。
【００１３】
第３の発明は、第１又は第２の発明において、
上記濾過フィルタを上記濾過フィルタ用ホルダに保持した状態で、上記手掛け部は上記ハウジングの長手方向に延びることを特徴とする。
【００１４】
この構成によれば、手掛け部を長くすることができるので、ハウジングに手のひらを当て、手掛け部に複数本の指を掛けることができ、ハウジングと手掛け部を一緒に握り込む際に、流入管部及び流出管部を流入側接続部及び流出側接続部に押し込む力を加えることが容易となる。
【００１５】
第４の発明は、第１〜第３のいずれか１つの発明において、
上記手掛け部は、上記濾過フィルタが上記濾過フィルタ用ホルダに保持された状態で上記ハウジングの外面に対向する位置に設けられ、
上記濾過フィルタが上記濾過フィルタ用ホルダに保持された状態で、上記手掛け部と上記ハウジングの外面との間に隙間が形成されていることを特徴とする。
【００１６】
この構成によれば、仮に手掛け部やハウジング等の寸法に誤差があったとしても、流入管部及び流出管部をそれぞれ流入側接続部及び流出側接続部に接続する際に、手掛け部とハウジングの外面とが接触することはないので、流入管部及び流出管部がそれぞれ流入側接続部及び流出側接続部に完全に押し込まれる。
【００１７】
第５の発明は、第１〜第４のいずれか１つの発明において、
上記ハウジングの長手方向と鉛直線とのなす角度を調整する角度調整部を備えることを特徴とする。
【００１８】
この構成によれば、ハウジングの長手方向と鉛直線とのなす角度を、例えばハウジング内の気泡が流出管部から抜けやすいような角度に調整できるため、濾過面積が広く保たれるとともに、液体の流路内の圧力変動が抑制される。
【００１９】
第６の発明は、第１〜第５のいずれか１つの発明において、
上記流入管部及び上記流出管部が上記流入側接続部及び上記流出側接続部に接続された状態にあるときには、上記濾過フィルタ用ホルダ内に収容されて上記流入管部及び上記流出管部が接続状態にあることを示し、上記流入管部及び上記流出管部の少なくとも一方が上記流入側接続部又は上記流出側接続部に接続されていない状態にあるときには、上記濾過フィルタ用ホルダから露出して上記流入管部及び上記流出管部の少なくとも一方が非接続状態にあることを示すインジケータが設けられていることを特徴とする。
【００２０】
この構成によれば、流入管部及び流出管部が接続状態にあるか否かを接続作業者が簡単かつ確実に確認できるため、流入管部及び流出管部の少なくとも一方が非接続状態のときに誤って濾過フィルタが使用されてしまい、液漏れが起こることが回避される。
【発明の効果】
【００２１】
第１の発明によれば、濾過フィルタの流入管部及び流出管部が押し込まれて接続される流入側接続部及び流出側接続部をホルダに設け、この流入側接続部と流出側接続部との間に、接続作業者が手を掛けるための手掛け部を設けたので、接続作業者は上下に離れたロックレバーの操作等の煩雑な作業をすることなく、濾過フィルタをホルダに簡便に保持させることができる。
【００２２】
第２の発明によれば、流入管部及び流出管部の流入側挿入孔及び流出側挿入孔への挿入方向からホルダを見たときに、ハウジングと重なる位置に手掛け部を設けたので、接続作業者がハウジングと手掛け部を一緒に握り込む際に、流入管部及び流出管部の突出方向が流入側挿入孔及び流出側挿入孔の挿入方向に沿うように、流入管部及び流出管部を、流入側接続部及び流出側接続部に、実質的に同時に（均等な力で）押し込むことが可能である。したがって、流入管部及び流出管部が流入側挿入孔及び流出側挿入孔にスムーズに挿入されて流入側接続部及び流出側接続部に接続され、接続作業者が容易に濾過フィルタをホルダに保持させることができる。
【００２３】
第３の発明によれば、ハウジングの長手方向に延びる手掛け部を長くすることができるので、ハウジングに手のひらを当て、手掛け部に複数本の指を掛けることができる。したがって、ハウジングと手掛け部を一緒に握り込む際に、流入管部及び流出管部を流入側接続部及び流出側接続部に押し込む力を加えることが容易となり、接続作業者が容易に濾過フィルタをホルダに保持させることができる。
【００２４】
第４の発明によれば、手掛け部とハウジングの外面との間に隙間が形成されるようにしたので、接続作業者は流入管部及び流出管部をそれぞれ流入側接続部及び流出側接続部に完全に押し込むことができ、濾過フィルタをホルダに確実に保持させることができる。
【００２５】
第５の発明によれば、ハウジングの長手方向と鉛直線とのなす角度を調整する角度調整部を設けたので、濾過フィルタの使用時の性能を高めることができるとともに、液体の流路内の圧力変動に起因する透析装置のエラーの発生を抑制することができる。
【００２６】
第６の発明によれば、流入管部及び流出管部が接続状態にあるか否かを示すインジケータを設けたので、流入管部又は流出管部が非接続状態で濾過フィルタが使用されることによる液漏れを予防することができる。
【図面の簡単な説明】
【００２７】
【図１】図１は、濾過フィルタの側面図である。
【図２】図２は、濾過フィルタの縦断面図である。
【図３】図３は、本発明の実施形態１に係るホルダの側面図である。
【図４】図４は、実施形態１に係るホルダの正面図である。
【図５】図５は、図４のＶ−Ｖ断面図である。
【図６】図６は、実施形態１に係るホルダの角度調整部の分解斜視図である。
【図７】図７は、濾過フィルタがホルダに保持される前の状態を示す図である。
【図８】図８は、濾過フィルタがホルダに保持される前の状態を示す流入側接続部の拡大図である。
【図９】図９は、濾過フィルタの流入管部及び流出管部の先端をホルダの流入側接続部及び流出側接続部に挿入した状態を示す図である。
【図１０】図１０は、濾過フィルタの流入管部の先端をホルダの流入側接続部に挿入した状態を示す図である。
【図１１】図１１は、ホルダの下側インジケータの先端が濾過フィルタに当接した状態を示す図である。
【図１２】図１２は、濾過フィルタがホルダに保持された状態を示す図である。
【図１３】図１３は、濾過フィルタがホルダに保持された状態を示す流入側接続部の拡大図である。
【図１４】図１４は、濾過フィルタが実施形態１に係るホルダに保持された状態を示す正面図である。
【図１５】図１５は、実施形態１に係るホルダに保持された濾過フィルタの使用時を示す側面図である。
【図１６】図１６は、実施形態２に係るホルダの側面図である。
【図１７】図１７は、実施形態２に係るホルダの正面図である。
【図１８】図１８は、実施形態３に係るホルダの側面図である。
【図１９】図１９は、実施形態３に係るホルダの正面図である。
【図２０】図２０は、実施形態３に係るホルダの斜視図である。
【図２１】図２１は、実施形態４に係るホルダに保持された濾過フィルタの使用時を示す側面図である。
【図２２】図２２は、濾過フィルタが実施形態４に係るホルダに保持された状態を示す正面図である。
【発明を実施するための形態】
【００２８】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００２９】
（実施形態１）
本発明の実施形態１に係るホルダ１は、例えば図１及び図２に示すような濾過フィルタＦを保持するためのものである。この濾過フィルタＦは透析治療時において、外部から供給される水道水等の原水（液体）を精密濾過できるように構成された周知のものであり、濾過後の純水に電解質等が添加されて、透析液としてダイアライザ（図示せず）に供給される。濾過フィルタＦは中心線方向に延びる筒状のハウジングＦ１を備え、ハウジングＦ１の長手方向が上下方向となる姿勢で使用される。
【００３０】
以下の説明では、ハウジングＦ１の長手方向が上下方向となった状態を基準として、「上側」とは図１における上側を示し、「下側」とは図１における下側を示し、「前側」とは図１における左側を示し、「後側」とは図１における右側を示している。
【００３１】
ハウジングＦ１の上端面及び下端面は上側蓋部材Ｆ２及び下側蓋部材Ｆ３でそれぞれ覆われている。上側蓋部材Ｆ２には、濾過後の純水を流出させることのできる上管部Ｆ２ａが、上側に突出するように一体に設けられている。また、下側蓋部材Ｆ３には、濾過後の純水を流出させることのできる下管部Ｆ３ａが、下側に突出するように一体に設けられている。上管部Ｆ２ａ及び下管部Ｆ３ａには、濾過フィルタＦの内部の汚染を防ぐためのキャップＦｃが液密に取り付けられている。
【００３２】
図２に示すように、ハウジングＦ１内には複数の中空糸膜Ｆ４（濾過材）が収容されている。中空糸膜Ｆ４は、膜の厚み方向に極微小な孔が形成された半透膜である。中空糸膜Ｆ４の両端部は封止剤により固着されて各端部が揃うように束ねられており、中空糸膜Ｆ４内部の空間と上管部Ｆ２ａ及び下管部Ｆ３ａの内部の空間が連通している。
【００３３】
ハウジングＦ１は、ハウジングＦ１内に原水を流入させる流入管部Ｆ１１と、ハウジングＦ１外に原水を流出させる流出管部Ｆ１２とを備え、流入管部Ｆ１１はハウジングＦ１の外周面の下部から後方に向かって突出し、流出管部Ｆ１２はハウジングＦ１の外周面の上部から後方に向かって突出している。
【００３４】
以下の説明では、流入管部Ｆ１１及び流出管部Ｆ１２について、「先端側」とは流入管部Ｆ１１及び流出管部Ｆ１２の先端側（図１及び図２における右側）を示し、「基端側」とは流入管部Ｆ１１及び流出管部Ｆ１２の基端側（図１及び図２における左側）を示している。
【００３５】
図１及び図２に示すように、流入管部Ｆ１１の外周面には、後述するホルダ１の流入側接続部２０の環状係合突条部２３２（図５等に示す）が係合するための流入側環状溝Ｆ１１ａが、流入管部Ｆ１１の軸方向における中央近傍に形成されている。図１に示すように、流入側環状溝Ｆ１１ａよりも先端側の外周面には、流入側環状凹部Ｆ１１ｂが、流入側環状溝Ｆ１１ａよりも幅広に（流入管部Ｆ１１の軸方向に広く）形成されている。流入側環状凹部Ｆ１１ｂには、軸方向に延びるリブが、流入管部Ｆ１１の周方向に離れて複数設けられており、このリブにおける流入管部Ｆ１１の径方向外側の面は、軸方向に沿って平坦な流入側平坦部Ｆ１１ｃである。流入側平坦部Ｆ１１ｃよりも先端側では、流入管部Ｆ１１の外径は小径であって、この小径部の形成に対応して、流入側段部Ｆ１１ｄが形成されている。
【００３６】
流出管部Ｆ１２の外周面にも同様に、流出側接続部３０の環状係合突条部３３２（図４に示す）が係合するための流出側環状溝Ｆ１２ａが、流出管部Ｆ１２の軸方向における中央近傍に形成されている。この流出側環状溝Ｆ１２ａよりも先端側の外周面には、流出側環状凹部Ｆ１２ｂが、流出側環状溝Ｆ１２ａよりも幅広に（流出管部Ｆ１２の軸方向に広く）形成されている。流出側環状凹部Ｆ１２ｂには、軸方向に延びるリブが、流出管部Ｆ１２の周方向に離れて複数設けられており、このリブにおける流出管部Ｆ１２の径方向外側の面は、軸方向に沿って平坦な流出側平坦部Ｆ１２ｃである。流出側平坦部Ｆ１２ｃよりも先端側では、流出管部Ｆ１２の外径は小径であって、この小径部の形成に対応して、流出側段部Ｆ１２ｄが形成されている。
【００３７】
図２に示すように、流入管部Ｆ１１からハウジングＦ１内に流入した原水のうち、中空糸膜Ｆ４を通過した濾過後の純水は、中空糸膜Ｆ４内部を通って上管部Ｆ２ａから流出し、中空糸膜Ｆ４を通過しない原水は流出管部Ｆ１２からハウジングＦ１外に流出するように構成されている。後述するように、上管部Ｆ２ａには純水流出用チューブＴ３（図１５に示す）が接続され、純水が透析装置（図示せず）に供給されるようになっている。
【００３８】
図３及び図４は、上記濾過フィルタＦを保持するためのホルダ１を示す。ホルダ１は、例えば透析装置の側面Ｗ（図１５に示す）等に取り付けられて使用される。このホルダ１は、矩形板状のホルダ本体１０と、濾過フィルタＦの流入管部Ｆ１１が押し込まれて接続される流入側接続部２０と、濾過フィルタＦの流出管部Ｆ１２が押し込まれて接続される流出側接続部３０と、接続作業者が手を掛けるための手掛け部４０と、ハウジングＦ１の長手方向と鉛直線とのなす角度を調整するための角度調整部５０とを備える。
【００３９】
ホルダ本体１０の上部（図４における上部）には、上管部Ｆ２ａ（図１５に示す）に接続された純水流出用チューブＴ３（図１５に示す）を挿通するためのチューブ挿通孔１０ａが、ホルダ本体１０を前後方向（図３における左右方向）に貫通するように形成されている。
【００４０】
図３及び図４に示すように、流入側接続部２０は、ホルダ本体１０の下部を前後方向に貫通して設けられている。また、流出側接続部３０は、ホルダ本体１０の上部を前後方向に貫通して設けられている。
【００４１】
図５に、流入側接続部２０の拡大断面図を示す。尚、以下の説明では、流入側接続部２０について説明するが、流出側接続部３０については、流入側接続部２０と上下対称であることを除けば、流入側接続部２０と同様の構成であることから、その詳細な説明は省略する。
【００４２】
図３〜図５に示すように、流入側接続部２０は、ホルダ本体１０の下部（図３における下部）から前方に突出する略円筒状の前側ケーシング２１と、前側ケーシング２１の後部に螺合して、ホルダ本体１０の下部から後方に突出する略円筒状の後側ケーシング２２と、前側ケーシング２１と後側ケーシング２２の内部に大部分が収容されるとともに、流入管部Ｆ１１が挿入される際の力によって弾性変形して流入管部Ｆ１１を保持する弾性筒２３とを備える。前側ケーシング２１及び後側ケーシング２２は、例えばポリアセタール等の樹脂により構成されており、弾性筒２３は、例えばシリコーンゴム等の弾性材料で構成されている。
【００４３】
以下のホルダ１に関する説明では、特に断らない限り、「軸方向」、「径方向」及び「周方向」の各方向は、前側ケーシング２１を基準として定めている。すなわち、「軸方向」とは前側ケーシング２１の中心軸線に沿った方向を示し、「径方向」とは前側ケーシング２１の中心軸線に対して直交する方向を示し、「周方向」とは前側ケーシング２１の中心軸線周りの周回方向を示している。
【００４４】
図５に示すように、前側ケーシング２１は、後側ケーシング２２の前側に支持されており、前側ケーシング２１の後端部は、ホルダ本体１０の前面よりも前側に位置している。前側ケーシング２１の前端部には、径方向内側に延びる環状延出部２１１が設けられている。また、前側ケーシング２１の後側部分の内周面には、後側ケーシング２２が螺合するための雌ねじ部２１２が形成されている。また、図３及び図４に示すように、前側ケーシング２１の外周面には複数の面取り部２１３が形成されている。前側ケーシング２１の中心線は、ホルダ本体１０の前面に対して略垂直である。
【００４５】
図５に示すように、後側ケーシング２２の前側部分には、前側ケーシング２１の雌ねじ部２１２に螺合する雄ねじ部２２１が形成されている。この雄ねじ部２２１が、前側ケーシング２１の雌ねじ部２１２にホルダ本体１０の後側から螺合することによって、前側ケーシング２１が後側ケーシング２２に固定されている。
【００４６】
弾性筒２３の内部には、流入管部Ｆ１１が挿入される流入側挿入孔２３ａが形成されている。流入側挿入孔２３ａの中心線はホルダ本体１０の前面に対して略垂直である。また、弾性筒２３の前端部近傍の内周面には、流入管部Ｆ１１の流入側環状溝Ｆ１１ａに係合する環状係合突条部２３２が設けられている。後述するように、流入管部Ｆ１１が流入側接続部２０に接続された状態（図１３に示す）で、弾性筒２３の軸方向における環状係合突条部２３２の位置は、流入管部Ｆ１１の流入側環状溝Ｆ１１ａに対応する位置にある。弾性筒２３における環状係合突条部２３２よりも前側の内周面は、径方向外側ほど前側に位置するように傾斜する傾斜面２３３であって、傾斜面２３３の後部の内径は、流入管部Ｆ１１の先端部の外径よりも大きく設定されている。
【００４７】
図３に示すように、弾性筒２３の後部には、原水供給用チューブＴ１（図１５に示す）を接続するための流入側Ｌ字管２４が嵌挿されている。流入側Ｌ字管２４は、弾性筒２３の後端面から後方に向かって突出した後下方に屈曲している。
【００４８】
図３及び図４に示すように、流出側接続部３０も、流入側接続部２０と同様に、前側ケーシング３１と、後側ケーシング３２と、弾性筒３３と、を備えている。図４に示すように、弾性筒３３の内部には、流出管部Ｆ１２が挿入される流出側挿入孔３３ａが形成されている。また、弾性筒３３の内周面には、流出管部Ｆ１２の流出側環状溝Ｆ１２ａに係合する環状係合突条部３３２が設けられている。図３に示すように、弾性筒３３の後部には、ハウジングＦ１外に原水を排出するための排水用チューブＴ２（図１５に示す）が接続される流出側Ｌ字管３４が嵌挿されている。
【００４９】
図３及び図４に示す手掛け部４０は、接続作業者が濾過フィルタＦ（図９等に示す）のハウジングＦ１に手を当てて流入管部Ｆ１１及び流出管部Ｆ１２を流入側接続部２０及び流出側接続部３０に押し込む際に手を掛けるための棒状の部材である。手掛け部４０は、ホルダ本体１０の前面における流入側接続部２０と流出側接続部３０との間に設けられている。図３に示すように、手掛け部４０は、ホルダ本体１０の前面における流出側接続部３０の下方から前方に突出する上側棒状部４１と、流入側接続部２０の上方から前方に突出する下側棒状部４２と、上側棒状部４１の前端部と下側棒状部４２の前端部を上下に連結する連結部４３とを備える。
【００５０】
上側棒状部４１の前端部の前後方向の位置は、流出側接続部３０の前側ケーシング３１の前端面と同程度であり、下側棒状部４２の前端部の前後方向の位置は、流入側接続部２０の前側ケーシング２１の前端面と同程度である。
【００５１】
図５に示すように、下側棒状部４２の内部にはボルトＢ１が前側から後側に向かって挿通され、このボルトＢ１によって下側棒状部４２がホルダ本体１０に支持されている。同様に、上側棒状部４１もボルト（図示せず）によってホルダ本体１０に支持されている。
【００５２】
図３に示すように、連結部４３はホルダ本体１０の長手方向に対して略平行に延びている。連結部４３とホルダ本体との間には隙間が形成され、この隙間に一般的な成人男性が手を入れることができるように、上側棒状部４１及び下側棒状部４２の長さが設定されている。連結部４３の上下方向の長さは、一般的な成人男性の手のひらの幅よりも長く、接続作業者が複数本の指を連結部４３に掛けることができるように構成されている。連結部４３の径はハウジングＦ１（図１４等に示す）の径よりも細く、接続作業者がハウジングＦ１に手を当てた状態で連結部４３に指を掛けやすいように構成されている。また、手掛け部４０は、接続作業者がハウジングＦ１と一緒に握り込んでも、折れたり変形したりしない程度の強度を持つ。
【００５３】
図４に示すように、手掛け部４０は、ホルダ１を前方から見た時に、流入側挿入孔２３ａの中心と流出側挿入孔３３ａの中心とを結ぶ直線上に位置しており、後述するように、濾過フィルタＦをホルダ１に保持した状態で、前方からホルダ１を見たときに、左右方向における手掛け部４０の位置は、左右方向におけるハウジングＦ１の略中央（ハウジングＦ１と重なる位置）にあるように構成されている（図１４に示す）。
【００５４】
図３に示すように、手掛け部４０における下側棒状部４２の前端部には、流入管部Ｆ１１が流入側接続部２０に接続されているか否かを示す円柱状の下側インジケータ７０が前方に突出するように設けられている。下側インジケータ７０は、下側棒状部４２の前側部分に固定された筒状の下側収容部４５に収容可能に構成されている。また、手掛け部４０における上側棒状部４１の前端部には、流出管部Ｆ１２が流出側接続部３０に接続されているか否かを示す円柱状の上側インジケータ６０が前方に突出するように設けられている。上側インジケータ６０は、上側棒状部４１の前側部分に固定された筒状の上側収容部４４に収容可能に構成されている。
【００５５】
図５に、下側インジケータ７０の拡大図を示す。尚、以下の説明では、下側インジケータ７０について説明するが、上側インジケータ６０については、下側インジケータ７０と上下対称であることを除けば同様の構成であることから、その詳細な説明は省略する。
【００５６】
下側インジケータ７０を収容する下側収容部４５は、螺合により下側棒状部４２に固定されている。
【００５７】
下側インジケータ７０は、突出方向先端側と基端側で異なる色として識別可能に構成されている。すなわち、下側インジケータ７０は、突出方向先端部に位置する白色等の下側淡色部７１と、突出方向基端部に位置する赤色等の下側濃色部７２とを備える。下側インジケータ７０は下側収容部４５に内蔵されたコイルばね４５１により突出方向（前側）に付勢されている。
【００５８】
したがって、流入管部Ｆ１１が流入側接続部２０に接続されていない時は、下側淡色部７１及び下側濃色部７２の両方が下側収容部４５から露出するのに対し、後述するように流入管部Ｆ１１が流入側接続部２０に正常に接続されている時（図１３に示す）は、コイルばね４５１の付勢力に抗して、下側濃色部７２が下側収容部４５内に収容され、下側淡色部７１のみが下側収容部４５から露出するように構成されている。
【００５９】
図３に示すように、上側インジケータ６０も、下側インジケータ７０と同様に、上側淡色部６１と、上側濃色部６２とを備え、上側収容部４４に内蔵されたコイルばね（図示せず）により突出方向（前側）に付勢されている。したがって、流出管部Ｆ１２が流出側接続部３０に接続されていない時は、上側淡色部６１及び上側濃色部６２の両方が上側収容部４４から露出するのに対し、後述するように流出管部Ｆ１２が流出側接続部３０に正常に接続されている時（図１２に示す）は、上側淡色部６１のみが上側収容部４４から露出するように構成されている。
【００６０】
図３及び図６に示すように、ホルダ本体１０の後面における流入側接続部２０と流出側接続部３０との間には、ホルダ１が濾過フィルタＦを保持したときにハウジングＦ１の長手方向と鉛直線とのなす角度を調整するための角度調整部５０が設けられている。この角度調整部５０は、ホルダ本体１０の後面に固定される固定部材５１と、固定部材５１の下部に取り付けられる軸ねじ５２と、軸ねじ５２を中心として回動可能に構成された回動部材５３とを備えている。
【００６１】
図６に示すように、固定部材５１は、ホルダ本体１０の後面における流入側接続部２０と流出側接続部３０との間で上下方向に延びるように設けられ、ホルダ本体１０の後面に固定された固定側前板部５１ａと、固定側前板部５１ａの左縁部から後方に延びる固定側左板部５１ｂと、固定側前板部５１ａの右縁部から後方に延びる固定側右板部５１ｃとからなる。固定側前板部５１ａの左右方向の幅は、ホルダ本体１０の左右方向の幅と同程度である。
【００６２】
固定側左板部５１ｂと固定側右板部５１ｃの下部には、軸ねじ５２を挿通するための一対の固定側軸孔５１ｄが形成されている。また、固定側左板部５１ｂ及び固定側右板部５１ｃの上部には、略前後方向に延びる一対のガイド孔５１ｅが、固定側軸孔５１ｄを中心とした円弧状長孔として形成されている。
【００６３】
固定側左板部５１ｂ及び固定側右板部５１ｃの左右方向外側の面におけるガイド孔５１ｅの上方には、ホルダ本体１０の長手方向と後述する回動部材５３の回動側後板部５３ａの長手方向とのなす角度を、接続作業者が目視で確認するための角度目盛が設けられている。
【００６４】
回動部材５３は、上下方向の長さが固定部材５１と同程度であり、固定側前板部５１ａよりもやや左右方向の幅が狭い回動側後板部５３ａと、回動側後板部５３ａの左縁部から前方に延びる回動側左板部５３ｂと、回動側後板部５３ａの右縁部から前方に延びる回動側右板部５３ｃとを備える。
【００６５】
回動側左板部５３ｂ及び回動側右板部５３ｃの下部には、軸ねじ５２が螺合するためのねじ溝が形成された一対の回動側軸孔５３ｄが形成されている。回動側左板部５３ｂ及び回動側右板部５３ｃの上部には、回動部材５３の回動角度を制限するロックねじ５３ｅを螺合により取り付けるためのロック孔５３ｆが形成されている。ロックねじ５３ｅは、上記固定部材５１のガイド孔５１ｅから左右方向内側に突出して、ロック孔５３ｆに螺合により取り付けられるようになっている。
【００６６】
回動側後板部５３ａの上部及び下部には、透析装置の側面Ｗ（図１５に示す）に取り付けられたボルトＢ２（図１５に示す）等を挿通するためのボルト挿通孔５３ｇが形成されている。ボルトＢ２をボルト挿通孔５３ｇに挿通し、透析装置の側面Ｗに締結することで、ホルダ１が透析装置等に取り付けられるようになっている。ボルト挿通孔５３ｇは、ボルトＢ２の頭部が挿通する大きさの大径部と、ボルトＢ２の軸部の外径と同程度の大きさの小径部とが連続している、いわゆるダルマ穴である。
【００６７】
ホルダ本体１０に角度調整部５０を取り付け、ホルダ１を透析装置の側面Ｗに取り付ける際には、まず透析装置の側面Ｗに取り付けられたボルトＢ２の締結を緩め、ボルトＢ２を頭部から回動部材５３のボルト挿通孔５３ｇの大径部に挿通した後、ボルトＢ２の軸部をボルト挿通孔５３ｇの小径部に掛止させる。そして、透析装置の側面ＷにあるボルトＢ２を強く締結し、取り付ける。次に、この回動部材５３を、ホルダ本体１０に取り付けた固定部材５１の左右方向内側に収容した状態で、軸ねじ５２を固定側軸孔５１ｄに左右方向外側から挿通し、回動側軸孔５３ｄに螺合させる。そして、ロックねじ５３ｅを固定部材５１のガイド孔５１ｅに左右方向外側から挿通し、回動部材５３のロック孔５３ｆに螺合により締結することで、このロックねじ５３ｅの締結力により、回動部材５３に対して固定部材５１を固定し、ロック状態とする。また、ロックねじ５３ｅを緩めると、回動部材５３に対して固定部材５１が軸ねじ５２周りに回動する。このとき、後述するように、回動側後板部５３ａを透析装置の側面Ｗ（図１５に示す）に取り付けたまま、回動側後板部５３ａの長手方向が鉛直方向と一致するようにしておくと、固定部材５１はホルダ本体１０に取り付けられているため、固定部材５１を軸ねじ５２周りに回動させてホルダ本体１０の長手方向と鉛直線とのなす角度を調整することが可能である。
【００６８】
次に、上記のように構成されたホルダ１に濾過フィルタＦを接続する場合について説明する。まず、図７に示すように、ホルダ本体１０の長手方向と濾過フィルタＦのハウジングＦ１の長手方向とが一致するように、ホルダ１の前方に濾過フィルタＦを配置する。ここで、濾過フィルタＦの流入管部Ｆ１１及び流出管部Ｆ１２がホルダ本体１０に向かって突出し、流入側接続部２０の前側ケーシング２１及び流出側接続部３０の前側ケーシング３１がそれぞれ流入管部Ｆ１１及び流出管部Ｆ１２に対向するように、濾過フィルタＦを配置しておく。
【００６９】
このとき、図８に拡大して示すように、下側インジケータ７０は、下側収容部４５に内蔵されたコイルばね４５１の付勢力により、下側淡色部７１から下側濃色部７２まで下側収容部４５から露出して、流入管部Ｆ１１が流入側接続部２０に接続されていない非接続状態にあることを示している。
【００７０】
次に、図９に示すように、流入管部Ｆ１１及び流出管部Ｆ１２の先端をそれぞれ流入側接続部２０の弾性筒２３（図４等に示す）及び流出側接続部３０の弾性筒３３（図４等に示す）に当てる。このとき、ハウジングＦ１は手掛け部４０に接近し、接続作業者はハウジングＦ１の前方に手のひらを当てた状態で、手掛け部４０の連結部４３に後方から指を掛けることができる。
【００７１】
このとき、図１０に拡大して示すように、流入側接続部２０の弾性筒２３の前端面における内径は、流入管部Ｆ１１の先端部の外径よりも大きいため、流入管部Ｆ１１の軸方向が弾性筒２３の軸方向から多少ずれていても、接続作業者は流入管部Ｆ１１の先端を弾性筒２３に容易に挿入することができる。そして、流入管部Ｆ１１の流入側段部Ｆ１１ｄが、流入側接続部２０の弾性筒２３の内周面に設けられた環状係合突条部２３２に当接する。
【００７２】
このときも、下側インジケータ７０は下側収容部４５から露出したままであり、流入管部Ｆ１１が非接続状態にあることを示している。
【００７３】
この状態から、ハウジングＦ１と手掛け部４０を一緒に握り込むように力を加えると、ハウジングＦ１に対しホルダ本体１０に接近する方向の力が作用して、流入管部Ｆ１１を流入側接続部２０の内部の流入側挿入孔２３ａに押し込む力が、流入管部Ｆ１１の突出方向に作用する。すると、その押し込み力によって、図１１に示すように、流入管部Ｆ１１の流入側段部Ｆ１１ｄが流入側接続部２０の弾性筒２３の環状係合突条部２３２を後側かつ径方向外側に押圧し、環状係合突条部２３２を径方向外側へ移動させるとともに、弾性筒２３を径方向外側へ弾性変形させる。そして、流入管部Ｆ１１が流入側挿入孔２３ａに挿入され、流入管部Ｆ１１の流入側平坦部Ｆ１１ｃが径方向内側から弾性筒２３の環状係合突条部２３２に当接して径方向外側へ押圧する。
【００７４】
このとき、ハウジングＦ１の下部の外周面のうち後方に向いている部分が下側インジケータ７０の突出方向先端部に当接するが、下側インジケータ７０は下側収容部４５から露出したままであり、流入管部Ｆ１１が非接続状態にあることを示している。
【００７５】
さらに、図１２に示すように、ハウジングＦ１と手掛け部４０を一緒に握り込むように力を加えると、流入管部Ｆ１１が流入側接続部２０の流入側挿入孔２３ａの挿入方向奥側へ挿入され、図１３に示すように、弾性筒２３の軸方向における流入管部Ｆ１１の流入側環状溝Ｆ１１ａの位置が、弾性筒２３の環状係合突条部２３２に対応する位置となる。すると、流入管部Ｆ１１の流入側平坦部Ｆ１１ｃにより径方向外側へ押圧されていた弾性筒２３の環状係合突条部２３２が、弾性力により弾性筒２３の径方向内側に戻る方向へ収縮し、流入管部Ｆ１１の流入側環状溝Ｆ１１ａに係合する。この状態でも、弾性筒２３は流入管部Ｆ１１が挿入されていない非挿入状態（図８に示す）には戻っておらず、流入管部Ｆ１１には、弾性筒２３が径方向内側へ収縮しようとする弾性力が作用している。
【００７６】
このとき、ハウジングＦ１の下部の外周面のうち後方に向いている部分が、下側インジケータ７０に前方から当接して後方へ押圧することで、下側インジケータ７０の下側濃色部７２が、下側収容部４５に内蔵されたコイルばね４５１の付勢力に抗して、下側収容部４５に押し込まれて収容される。よって、下側淡色部７１のみが下側収容部４５から露出して、流入管部Ｆ１１が流入側接続部２０に接続された接続状態にあることを示す。
【００７７】
以上の流入側接続部２０に関する一連の動きは、図１２に示す流出側接続部３０でも同時に同様に起こっているため、流入管部Ｆ１１及び流出管部Ｆ１２はそれぞれ流入側接続部２０及び流出側接続部３０に押し込まれて同時接続され、濾過フィルタＦがホルダ１に保持される。この状態では、弾性筒２３，３３の弾性力により、環状係合突条部２３２，３３２が流入側環状溝Ｆ１１ａ及び流出側環状溝Ｆ１２ａに係合し、流入管部Ｆ１１及び流出管部Ｆ１２がそれぞれ流入側接続部２０及び流出側接続部３０から抜け難くなっている。
【００７８】
また、下側インジケータ７０に関する一連の動きは、上側インジケータ６０でも同時に同様に起こっている。したがって、接続作業者は流入管部Ｆ１１及び流出管部Ｆ１２が接続状態にあることを簡単かつ確実に確認した上で濾過フィルタＦを使用できるため、流入管部Ｆ１１又は流出管部Ｆ１２が非接続状態で濾過フィルタＦが使用されることによる液漏れを予防することができる。
【００７９】
このとき、濾過フィルタＦがホルダ１に保持された状態（図１５に示す）では、ハウジングＦ１と手掛け部４０の連結部４３との間には隙間が形成されているため、仮にハウジングＦ１や手掛け部４０等の寸法に誤差があったとしても、ハウジングＦ１と連結部４３が接触することはなく、濾過フィルタＦがホルダ１に確実に保持される。
【００８０】
また、図１４に示すように、ホルダ１を前方（流入管部Ｆ１１及び流出管部Ｆ１２の流入側挿入孔２３ａ及び流出側挿入孔３３ａへの挿入方向）から見たときに、左右方向における手掛け部４０の位置は、左右方向におけるハウジングＦ１の略中央（ハウジングＦ１と重なる位置）にあるため、接続作業者は流入管部Ｆ１１及び流出管部Ｆ１２の突出方向が流入側挿入孔２３ａ及び流出側挿入孔３３ａの挿入方向に沿うように、流入管部Ｆ１１及び流出管部Ｆ１２を、流入側接続部２０及び流出側接続部３０に、実質的に同時に（均等な力で）押し込むことができる。したがって、流入管部Ｆ１１及び流出管部Ｆ１２が流入側挿入孔２３ａ及び流出側挿入孔３３ａにスムーズに挿入されて流入側接続部２０及び流出側接続部３０に接続される。
【００８１】
また、図１２に示すように、手掛け部４０の連結部４３はホルダ本体１０及びハウジングＦ１の長手方向に長く延びているため、ハウジングＦ１に手のひらを当て、手掛け部４０に複数本の指を掛けることができる。したがって、ハウジングＦ１と手掛け部４０を一緒に握り込む際に、流入管部Ｆ１１及び流出管部Ｆ１２を流入側接続部２０及び流出側接続部３０に押し込む力を加えることが容易である。  
【００８２】
次に、上記のようにホルダ１に保持された濾過フィルタＦを使用する場合について説明する。まず、図１５に示すように、ホルダ１の後方から突出する流入側Ｌ字管２４に原水供給用チューブＴ１を、流出側Ｌ字管３４に排水用チューブＴ２を、濾過フィルタＦの上管部Ｆ２ａに純水流出用チューブＴ３をそれぞれ接続し、濾過フィルタＦの下管部Ｆ３ａをキャップＦｃで液密に塞いでおく。そして、上管部Ｆ２ａに接続された純水流出用チューブＴ３は、ホルダ本体１０の上部のチューブ挿通孔１０ａに挿通し、透析装置（図示せず）に接続しておく。
【００８３】
この状態で、原水供給用チューブＴ１に原水を供給すると、原水は流入側Ｌ字管２４の内部、弾性筒２３の内部及び流入管部Ｆ１１の内部を通ってハウジングＦ１内に供給される。ハウジングＦ１内に供給された原水のうち一部は中空糸膜Ｆ４（図２に示す）を介して濾過され、純水として中空糸膜Ｆ４の内部、上管部Ｆ２ａの内部及び純水流出用チューブＴ３の内部を通って透析装置（図示せず）に供給される。一方、中空糸膜Ｆ４を通過しない原水は、流出管部Ｆ１２の内部、弾性筒３３の内部及び流出側Ｌ字管３４の内部を通って排水用チューブＴ２から排出される。
【００８４】
このとき、原水が中空糸膜Ｆ４（図２に示す）の外部から内部へと濾過されるようにホルダ１が濾過フィルタＦを保持しているため、中空糸膜Ｆ４の内部から外部に原水を濾過する場合に比べて、濾過フィルタＦの目詰まり等が起こりにくく、長期間、濾過フィルタＦの濾過性能を維持することができる。
【００８５】
また、仮に原水の流入圧力が上昇した場合でも、図１３に示すように、流入側接続部２０の弾性筒２３は前側ケーシング２１の径方向内側に収容されているため、弾性筒２３は径方向外側へ弾性変形し難い。したがって、弾性筒２３と流入管部Ｆ１１との間から液漏れすることが抑制される。同様に、仮に原水の流出圧力が上昇した場合でも、流出側接続部３０（図１５等に示す）の弾性筒３３は前側ケーシング３１の径方向内側に収容されているため、弾性筒３３は径方向外側へ弾性変形し難い。したがって、弾性筒３３と流出管部Ｆ１２との間から液漏れすることが抑制される。
【００８６】
また、濾過フィルタＦの使用開始時に、流入管部Ｆ１１から原水を流入する場合、中空糸膜Ｆ４（図２に示す）の表面に気泡が付着するとともに、ハウジングＦ１内の上部に気泡がたまる。ハウジングＦ１内に気泡がたまると、原水と中空糸膜Ｆ４との接触面積が小さくなるため、濾過面積が小さくなって濾過性能が悪化するとともに、原水の流路内における圧力変動が大きくなり、透析装置（図示せず）のエラーを誘発するという問題がある。ここで、図１５において仮想線で示すように、角度調整部５０の回動部材５３を固定部材５１に対して軸ねじ５２周りに回動させてロック状態とし、回動側後板部５３ａを透析装置の側面Ｗ等に当てて、回動側後板部５３ａの長手方向が鉛直方向と一致するようにすると、ハウジングＦ１の上部が前方に傾くため、ハウジングＦ１内の気泡は、ハウジングＦ１内の上部の後側すなわち流出管部Ｆ１２側にたまることになる。よって、ハウジングＦ１内の気泡はスムーズに流出管部Ｆ１２の内部に導かれて、流出側接続部３０の弾性筒３３の内部及び流出側Ｌ字管３４の内部を通り、排水用チューブＴ２から排出される。したがって、ハウジングＦ１内から全ての気泡が無くなるために、濾過面積が広く保たれ、濾過フィルタＦの使用時の性能を高めることができる。また、原水流路内の圧力変動が抑制され、圧力変動に起因する透析装置（図示せず）のエラーを抑制することができる。
【００８７】
以上説明したように、この実施形態１に係るホルダ１によれば、濾過フィルタＦの流入管部Ｆ１１及び流出管部Ｆ１２が押し込まれて接続されるホルダ１の流入側接続部２０と流出側接続部３０の間に、接続作業者が手を掛けるための手掛け部４０を設けたので、接続作業者はロックレバーの操作等の煩雑な作業をすることなく、濾過フィルタＦをホルダ１に簡便に保持させることができる。
【００８８】
また、濾過フィルタＦがホルダ１に保持された状態で、ハウジングＦ１と手掛け部４０との間には隙間が形成されるようにしたので、仮にハウジングＦ１や手掛け部４０等の寸法に誤差があったとしても、ハウジングＦ１と手掛け部４０が接触することはなく、接続作業者は濾過フィルタＦをホルダ１に確実に保持させることができる。
【００８９】
また、ハウジングＦ１の長手方向と鉛直線とのなす角度を調整する角度調整部５０を設けたので、濾過フィルタＦの使用時の性能を高めることができる。
【００９０】
また、流出管部Ｆ１２及び流入管部Ｆ１１が接続状態にあるか否かを示す上側インジケータ６０及び下側インジケータ７０を設けたので、流出管部Ｆ１２又は流入管部Ｆ１１が非接続状態で濾過フィルタＦが使用されることによる液漏れを予防することができる。
【００９１】
（実施形態２）
図１６及び図１７は本発明の実施形態２を示す。尚、以下の実施形態２では、図１〜図１５（実施形態１）と同じ部分については同じ符号を付し、その詳細な説明を省略する。実施形態１では、手掛け部４０が棒状の部材であるのに対し、この実施形態２では、手掛け部８０が板状の部材である点で異なっている。その他の構成は実施形態１と同様である。
【００９２】
すなわち、この実施形態２では、手掛け部８０はホルダ本体１０の前面における流出側接続部３０の下方に取り付けられた板状の上側取付部８１と、上側取付部８１の上端部から前方に突出する上側板状部８２と、流入側接続部２０の上方に取り付けられた板状の下側取付部８３と、下側取付部８３の下端部から前方に突出する下側板状部８４と、上側板状部８３の前端部と下側板状部８４の前端部を上下に連結する板状の連結部８５と、を備える。
【００９３】
連結部８５の上部及び下部には、上側インジケータ６０及び下側インジケータ７０を収容するための上側収容部８６及び下側収容部８７が取り付けられている。上側収容部８６及び下側収容部８７には、上側インジケータ６０及び下側インジケータ７０を突出方向に付勢するためのコイルばね（図示せず）がそれぞれ内蔵されている。
【００９４】
この実施形態２でも、例えば接続作業者が濾過フィルタＦのハウジングＦ１（図１等に示す）に手のひらを当てて手掛け部８０の連結部８５に指を掛け、ハウジングＦ１と手掛け部８０を一緒に握り込むように力を加えると、ハウジングＦ１がホルダ本体１０に接近する方向の力が作用して、流入管部Ｆ１１（図１等に示す）及び流出管部Ｆ１２（図１等に示す）が流入側接続部２０及び流出側接続部３０に押し込まれて同時接続される。したがって、この実施形態２でも、実施形態１と同様の作用効果が得られる。
【００９５】
（実施形態３）
図１８〜図２０は本発明の実施形態３を示す。尚、以下の実施形態３では、図１〜図１５（実施形態１）と同じ部分については同じ符号を付し、その詳細な説明を省略する。実施形態１では、棒状の部材である手掛け部４０がホルダ本体１０に取り付けられているのに対し、この実施形態３では、ホルダ本体１０の一部を折り曲げ加工することで、ホルダ本体１０と一体に手掛け部１１が設けられている点で異なっている。その他の構成は実施形態１と同様である。
【００９６】
すなわち、この実施形態３では、ホルダ本体１０の上下方向中央部に、上下に延びる２本の切り込みを互いに略平行に形成した後、これら切り込みの間の部分を後方から前方に向けて側面視でコの字状になるように折り曲げ加工することで、手掛け部１１が形成されている。したがって、手掛け部１１は、ホルダ本体１０の前面における流出側接続部３０の前側ケーシング３１の下方から前方に突出する上側板状部１１ａと、流入側接続部２０の前側ケーシング２１の上方から前方に突出する下側板状部１１ｂと、上側板状部１１ａの前端部と下側板状部１１ｂの前端部を上下に連結する板状の連結部１１ｃとを備えている。
【００９７】
また、図２０に示すように、ホルダ本体１０における手掛け部１１の後方に位置する部分には、手掛け部を折り曲げ加工することにより、加工孔１１ｄが形成されている。
【００９８】
図１８〜図２０に示すように、連結部１１ｃの上部及び下部には、上側インジケータ６０及び下側インジケータ７０を収容するための上側収容部８６及び下側収容部８７が取り付けられている。上側収容部８６及び下側収容部８７には、上側インジケータ６０及び下側インジケータ７０を突出方向に付勢するためのコイルばね（図示せず）がそれぞれ内蔵されている。
【００９９】
この実施形態３でも、例えば接続作業者が濾過フィルタＦのハウジングＦ１（図１等に示す）に手のひらを当てて手掛け部１１の連結部１１ｃに指を掛け、ハウジングＦ１と手掛け部１１を一緒に握り込むように力を加えると、ハウジングＦ１がホルダ本体１０に接近する方向の力が作用して、流入管部Ｆ１１（図１等に示す）及び流出管部Ｆ１２（図１等に示す）が流入側接続部２０及び流出側接続部３０に押し込まれて同時接続される。したがって、この実施形態３でも、実施形態１と同様の作用効果が得られる。
【０１００】
また、この実施形態３では、手掛け部１１がホルダ本体１０と一体に設けられているため、部品点数が少なくなるという利点がある。
【０１０１】
（実施形態４）
図２１及び図２２は本発明の実施形態４を示す。尚、以下の実施形態４では、図１〜図１５（実施形態１）と同じ部分については同じ符号を付し、その詳細な説明を省略する。この実施形態４は、ホルダ１におけるホルダ本体１０よりも前側の部分及び濾過フィルタＦを保護するための保護カバー９０をホルダ１に対して取り付けた点で、実施形態１とは異なっている。その他の構成は実施形態１と同様である。
【０１０２】
すなわち、この実施形態４では、略直方体形状の保護カバー９０がホルダ本体１０の前面に着脱可能に取り付けられている。保護カバー９０の上下方向の長さは、ホルダ本体１０の上下方向の長さと同等であり、保護カバー９０の左右方向の長さは、ホルダ本体１０の左右方向の長さよりも若干長く設定されている。また、保護カバー９０の前後方向の長さは、濾過フィルタＦをホルダ１に保持したときの、濾過フィルタＦにおける最も前方に位置している部分とホルダ本体１０の前面との間の距離よりも長く設定されている。
【０１０３】
保護カバー９０の上面は、ホルダ本体１０の上部に取り付けられた掛止部１２に掛止されている。保護カバー９０の後面は開放されている。
【０１０４】
保護カバー９０の上下方向中央部近傍には、保護カバー９０の前面から左右の両側面に亘って、濾過フィルタＦのハウジングＦ１の外周面に当接する半円筒部９１が形成されている。半円筒部９１の内径は、ハウジングＦ１の直径よりも若干小さく設定されている。
【０１０５】
また、保護カバー９０の左右の両側面における上下方向中央部近傍には、半円筒部９１の左右の端部から後方に延びるように連続する連続部９２が設けられている。連続部９２は、上下方向及び前後方向に沿って平坦であり、左右の連続部９２の間の距離は、ハウジングＦ１の直径と同程度に設定されている。
【０１０６】
保護カバー９０がホルダ１に取り付けられた状態では、ハウジングＦ１の外周面が半円筒部９１の内周面及び連続部９２の内壁面に当接することで、保護カバー９０の左右方向への位置ずれが規制されるようになっている。
【０１０７】
この実施形態４では、濾過フィルタＦ、流入側接続部２０及び流出側接続部３０に異物が付着してハウジングＦ１内に流通する液体が汚染されることが抑制されるとともに、不慮の事故による濾過フィルタＦ及びホルダ１の損傷が緩和されるという利点がある。
【０１０８】
（その他の実施形態）
上述の実施形態では、流入側接続部２０と流出側接続部３０との間の離間距離は固定されているが、この離間距離を調整するための距離調整手段（図示せず）を設けてもよい。例えば、ホルダ１における流入側接続部２０と流出側接続部３０との間にスライド部（図示せず）を設け、流入側接続部２０と流出側接続部３０との間の距離を調整可能としてもよい。この場合、形状や大きさの異なる濾過フィルタでも、同じホルダ１で保持することができる。
【０１０９】
また、上述の実施形態では、上側インジケータ６０及び下側インジケータ７０は手掛け部４０の上部及び下部に設けられているが、上側インジケータ６０を流出側接続部３０に、下側インジケータ７０を流入側接続部２０に設けるようにしてもよい。インジケータを設ける位置は、流入側挿入孔２３ａ又は流出側挿入孔３３ａの上方であっても下方であってもよいが、ホルダ１を前方から見た時に、インジケータ６０，７０がハウジングＦ１と重なる位置にあることが望ましい。また、インジケータの数は２個に限定されず、１個でも３個以上でもよい。
【０１１０】
また、上述の実施形態では、インジケータ６０，７０は、突出方向先端側が淡色部で基端側が濃色部であるが、突出方向先端側が濃色部で基端側が淡色部であってもよい。
【０１１１】
また、上述の実施形態では、下側インジケータ７０は下側収容部４５に内蔵されたコイルばね４５１によって前方に付勢されており、上側インジケータ６０も同様に前方に付勢されているが、コイルばねで付勢することに代えて、濾過フィルタＦ及びインジケータ６０，７０が当接する位置に一対の磁石（図示せず）を取り付けるようにしてもよい。この場合、流入管部Ｆ１１および流出管部Ｆ１２が接続状態にあるときには、インジケータ６０，７０はホルダ１内に押し込まれて収容され、流入管部Ｆ１１および流出管部Ｆ１２が取り外されるときには、濾過フィルタＦに取り付けられた磁石がインジケータ６０，７０に取り付けられた磁石を引き付けることで、インジケータ６０，７０がホルダ１から露出して、流入管部Ｆ１１及び流出管部Ｆ１２が非接続状態にあることを示すようになる。
【産業上の利用可能性】
【０１１２】
以上説明したように、本発明に掛かるホルダは、例えば透析装置に取り付ける精密濾過フィルタ等を保持する際に使用することができる。
【符号の説明】
【０１１３】
１        ホルダ
１０      ホルダ本体
１１      手掛け部
２０      流入側接続部
２１      前側ケーシング
２２      後側ケーシング
２３      弾性筒
２３ａ    流入側挿入孔
３０      流入側接続部
３１      前側ケーシング
３２      後側ケーシング
３３      弾性筒
３３ａ    流出側挿入孔
４０      手掛け部
５０      角度調整部
５１      固定部材
５２      軸ねじ
５３      回動部材
６０      上側インジケータ
７０      下側インジケータ
８０      手掛け部
９０      保護カバー
Ｆ        濾過フィルタ
Ｆ１      ハウジング
Ｆ１１    流入管部
Ｆ１２    流出管部
Ｆ２      上側蓋部材
Ｆ２ａ    上管部
Ｆ３      下側蓋部材
Ｆ３ａ    下管部
Ｆ４      中空糸膜（濾過材）
Ｔ１      原水供給用チューブ
Ｔ２      排水用チューブ
Ｔ３      純水流出用チューブ
Ｗ        透析装置の側面
【図１】
2015181783.tif 000003
【図２】
2015181783.tif 000004
【図３】
2015181783.tif 000005
【図４】
2015181783.tif 000006
【図５】
2015181783.tif 000007
【図６】
2015181783.tif 000008
【図７】
2015181783.tif 000009
【図８】
2015181783.tif 000010
【図９】
2015181783.tif 000011
【図１０】
2015181783.tif 000012
【図１１】
2015181783.tif 000013
【図１２】
2015181783.tif 000014
【図１３】
2015181783.tif 000015
【図１４】
2015181783.tif 000016
【図１５】
2015181783.tif 000017
【図１６】
2015181783.tif 000018
【図１７】
2015181783.tif 000019
【図１８】
2015181783.tif 000020
【図１９】
2015181783.tif 000021
【図２０】
2015181783.tif 000022
【図２１】
2015181783.tif 000023
【図２２】
2015181783.tif 000024